(57)【要約】【課題】キャップが形材に係止されている位置に固定具が進入しても外れ難い小口キャップ等を提供する。【解決手段】外部から内部に進入する固定具により第１部材に固定される第２部材の開口端をなす小口に設けられる小口キャップであって、前記小口に当接されて当該小口を覆うキャップ本体と、前記キャップ本体から延出され前記小口から前記第２部材の前記内部に挿入される延出片、及び、前記延出片の延出された先端に、前記第２部材に設けられ前記内部と前記外部とを連通する孔に挿入されることにより当該小口キャップが前記第２部材に係止される突起、を備えた係止部と、前記延出片の延出方向において、前記係止部より奥側に位置して当該係止部と互いに隣り合い前記キャップ本体と繋がっている並設部と、を有する。【選択図】図４
2018100584.tif 000002
【特許請求の範囲】
【請求項１】
外部から内部に進入する固定具により第１部材に固定される第２部材の開口端をなす小口に設けられる小口キャップであって、
前記小口に当接されて当該小口を覆うキャップ本体と、
前記キャップ本体から延出され前記小口から前記第２部材の前記内部に挿入される延出片、及び、前記延出片の延出された先端に、前記第２部材に設けられ前記内部と前記外部とを連通する孔に挿入されることにより当該小口キャップが前記第２部材に係止される突起、を備えた係止部と、
前記延出片の延出方向において、前記係止部より奥側に位置して当該係止部と互いに隣り合い前記キャップ本体と繋がっている並設部と、
を有することを特徴とする小口キャップ。
【請求項２】
請求項１に記載の小口キャップが前記小口に取り付けられた前記第２部材が、前記第１部材をなす連結部材を介して前記固定具により、前記第２部材と交差する方向に沿って配置される交差部材に固定されることを特徴とする格子ユニット。
【発明の詳細な説明】
【技術分野】
【０００１】
本発明は、小口キャップ及び格子ユニットに関する。
【背景技術】
【０００２】
開口端をなす小口に設けられる小口キャップとしては、例えば、門扉を構成する中空状型材または半中空状型材の開口端部に嵌着される門扉用キャップが知られている（例えば、特許文献１参照）。この門扉用キャップは、開口を覆うキャップ本体の裏面において型材の開口端部から中空部に挿入される突設壁と一体に形成された係止舌片が、型材の開口端部近傍に設けられた係合孔に嵌合されて型材に取り付けられている。係止舌片は、突設壁の外周側に設けられており、突設壁とともに内周側に撓むように構成されており、型材の開口端部内に突設壁を挿入していく際に、係止舌片が撓み型材の内面に摺接しつつ挿入され、係合孔に至った際に撓み変形が復元することにより係止舌片が係合孔に挿入されて嵌合される。
【先行技術文献】
【特許文献】
【０００３】
【特許文献１】実公平４−４４７９９号公報
【発明の概要】
【発明が解決しようとする課題】
【０００４】
上記門扉用キャップが端部に嵌合された型材を、例えば門柱等にビスなどの固定具により固定する場合には、固定具が型材の外側から中空部内に進入する。このとき、型材においてビスが進入する位置と、係止舌片が挿入されている係止孔の位置とが一致していると、外側から進入するビスにより係止舌片が係合孔から押し出されてしまうため、門扉用キャップが型材から浮いたり、外れたりする虞がある。
【０００５】
本発明は、かかる課題に鑑みてなされたものであり、その目的とするところは、キャップが形材に係止されている位置に固定具が進入しても外れ難い小口キャップ及び格子ユニットを提供することにある。
【課題を解決するための手段】
【０００６】
かかる目的を達成するために本発明の小口キャップは、外部から内部に進入する固定具により第１部材に固定される第２部材の開口端をなす小口に設けられる小口キャップであって、前記小口に当接されて当該小口を覆うキャップ本体と、前記キャップ本体から延出され前記小口から前記第２部材の前記内部に挿入される延出片、及び、前記延出片の延出された先端に、前記第２部材に設けられ前記内部と前記外部とを連通する孔に挿入されることにより当該小口キャップが前記第２部材に係止される突起、を備えた係止部と、前記延出片の延出方向において、前記係止部より奥側に位置して当該係止部と互いに隣り合い前記キャップ本体と繋がっている並設部と、を有することを特徴とする小口キャップである。
【０００７】
係止部の突起が第２部材の孔に挿入されることにより第２部材に係止されている小口キャップは、第２部材を第１部材に固定するための固定具が第２部材の外部から内部に進入して係止部を内方に押圧すると固定具が突起を孔から押し出して小口キャップが外れやすくなる。上記小口キャップによれば、延出片の延出方向において、係止部より奥側に位置して当該係止部と互いに隣り合いキャップ本体と繋がっている並設部を有しているので、小口キャップが第２部材から抜ける方向に移動すると、突起を押し出した固定具の第２部材の内側に突出した部位に並設部が接触して小口キャップの移動が規制される。このため、小口キャップが第２部材に係止されている位置に固定具が進入しても外れ難い小口キャップを提供することが可能である。
【０００８】
また、小口キャップが前記小口に取り付けられた前記第２部材が、前記第１部材をなす連結部材を介して前記固定具により柱に固定されることを特徴とする格子ユニットである。
【０００９】
このような格子ユニットによれば、格子部材に係止されている位置に固定具が進入しても外れ難い小口キャップを備えた格子部材が柱に固定される格子ユニットを提供することが可能である。
【発明の効果】
【００１０】
本発明によれば、キャップが形材に係止されている位置に固定具が進入しても外れ難い小口キャップ及び格子ユニットを提供することが可能である。
【図面の簡単な説明】
【００１１】
【図１】本実施形態に係る格子ユニットを示す外観図である。
【図２】小口キャップと格子部材とを示す斜視図である。
【図３】図１におけるＡ−Ａ断面図である。
【図４】図１におけるＢ−Ｂ断面図である。
【図５】補助係止部の変形例を示す図である。
【発明を実施するための形態】
【００１２】
以下、本発明の一実施形態に係る小口キャップ及び格子ユニットについて図面を参照して説明する。
本実施形態の格子ユニット１は、例えば、図１に示すように、複数の第２部材としての横格子部材２が上下方向に互いに間隔を空けて配置され、水平方向に互いに間隔を空けて立設されている複数の柱３に第１部材としての連結部材４（図３参照）を介して固定されて構成されている。ここで、柱３が第２部材と交差する方向に沿って配置される交差部材に相当する。
【００１３】
また、横格子部材２は、水平方向に連ねて配置されており、水平方向に隣り合う横格子部材２は、互いの端部同士を近接させるとともに対向させて単一の柱３に固定されている。このとき、各横格子部材２には、端部をなす小口２ａに各々小口２ａを覆う合成樹脂製の小口キャップ５が取り付けられている。このため、水平方向に隣り合う横格子部材２同士は、小口キャップ５が僅かに間隔を空けて突き合わされている。
【００１４】
図２に示すように、横格子部材２は、アルミニウム製の押出成形部材であり、断面が矩形状をなし、内部は長手方向に貫通し、小口キャップ５の一部が挿入される中空部２ｂをなしている。断面が矩形状をなす横格子部材２の一側面には、両端部の近傍に中空部２ｂの内部と外部とを連通する孔２ｃが設けられている。この孔２ｃには、後述する小口キャップ５が備える突起５５ｃ、５５ｄのうちの一方が挿入される。以下の説明では、矩形状をなす横格子部材２の４つの側面をそれぞれ、順番に第１面２ｄ、第２面２ｅ、第３面２ｆ、第４面２ｇとして説明する。そして、横格子部材２は、第１面２ｄと第３面２ｆとが対面し、第２面２ｅと第４面２ｇとが対面しており、突起５５ｄが挿入される孔２ｃは第１面２ｄに設けられている。
【００１５】
また、以下の説明では、小口キャップ５単体の説明であっても、横格子部材２に挿入された状態にて、各部位が対面する側面２ｄ、２ｅ、２ｆ、２ｇに沿う方向、対面する側面２ｄ、２ｅ、２ｆ、２ｇと直交する方向、及び、小口キャップ５が挿入される挿入方向にて方向を特定して説明する。
【００１６】
小口キャップ５は、小口２ａに当接されて当該小口２ａを覆うキャップ本体５１と、キャップ本体５１の小口２ａに当接される当接面５１ａから突出された摺接挿入部５２、５３、５４、係止部５５、及び、補助係止部５６と、を有している。
【００１７】
キャップ本体５１は、横格子部材２の小口２ａがなす矩形状より僅かに大きな外径をなし、外周部分が小口２ａに当接される。キャップ本体５１の当接面５１ａと反対側の面は、平坦あるいは弧状に形成されている。
【００１８】
摺接挿入部５２、５３、５４は、小口キャップ５を横格子部材２の端部に取り付けるときに、横格子部材２の４つの側面、すなわち第１面２ｄ、第２面２ｅ、第３面２ｆ、第４面２ｇに摺接しつつ中空部２ｂ内に挿入される部位である。摺接挿入部５２、５３、５４は、横格子部材２が有する内側の４つの角部のうちの２つの角部を各々形成する第１面２ｄと第２面２ｅ、または、第２面２ｅと第３面２ｆとに摺接するＬ字状の２つの角部摺接挿入部５２、５３と、他の２つの角部を形成する第３面２ｆ、第４面２ｇ、第１面２ｄに摺接するコ字状の側面摺接挿入部５４とを有している。
【００１９】
側面摺接挿入部５４は、横格子部材２の第４面２ｇのほぼ全幅に渡って対向する対向挿入部５４ａと、対向挿入部５４ａの、第４面２ｇに沿う方向における両端部から延出され、第３面３ｆ及び第１面２ｄの端部と対向する端部延出挿入部５４ｂと、を有している。
【００２０】
２つの角部摺接挿入部５２、５３は、第２面２ｅに沿う方向における両端側とそれぞれ対向する位置に設けられた第２面端部挿入部５２ａ、５３ａのうちの一方の第２面端部挿入部５２ａと繋がり第１面２ｄと対向して角部を形成する第１面端部挿入部５２ｂとでなる第１角部摺接挿入部５２と、他方の第２面端部挿入部５３ａと繋がり第３面２ｆと対向して角部を形成する第３面端部挿入部５３ｂとでなる第１角部摺接挿入部５３と、を有している。
【００２１】
側面摺接挿入部５４、第１角部摺接挿入部５２及び第２角部摺接挿入部５３はいずれも、横格子部材２の内面と平行な面におけるキャップ本体５１からの長さが、外周側の面の方が内周側の面より短く形成され、先端側に向かって厚みが薄くなるようなテーパー５２ｃ、５３ｃ、５４ｃが設けられている。また、側面摺接挿入部５４、第１角部摺接挿入部５２及び第２角部摺接挿入部５３において横格子部材２の内側の４つの側面と対向する部位には、横格子部材２に挿入されるリブ５２ｄ、５３ｄ、５４ｄが挿入方向に沿ってそれぞれ設けられており、リブ５２ｄ、５３ｄ、５４ｄの先端側にもテーパー５２ｅ、５３ｅ、５４ｅが形成されている。
【００２２】
側面摺接挿入部５４の第３面２ｆに沿う端部延出挿入部５４ｂと第２角部挿入部５３の第３面端部挿入部５３ｂとは第３面２ｆに沿う方向に間隔が空けられており、側面摺接挿入部５４の第１面２ｄに沿う端部延出挿入部５４ｂと第１角部挿入部５２の第１面端部挿入部５２ｂとは第１面２ｄに沿う方向に間隔が空けられており、第１角部挿入部５２と第２角部挿入部５３の第２面端部挿入部５２ａ、５３ａ同士とは第２面２ｄに沿う方向に間隔が空けられている。
【００２３】
第１面２ｄに孔２ｃが設けられている横格子部材２の両端の小口２ａに、同一の小口キャップ５を取り付けることができるように、係止部５５、及び、補助係止部５６は、側面摺接挿入部５４の第３面２ｆに沿う端部延出挿入部５４ｂと第２角部挿入部５３の第３面端部挿入部５３ｂとの間、及び、側面摺接挿入部５４の第１面２ｄに沿う端部延出挿入部５４ｂと第１角部挿入部５２の第１面端部挿入部５２ｂとの間にそれぞれ設けられている。このため、小口キャップ５を横格子部材２の小口２ａに取り付けたときに孔２ｃに挿入される突起５５ｃ（図３、図４参照）、５５ｄは、いずれか一方のみである。
【００２４】
係止部５５は、キャップ本体５１の当接面５１ａから挿入方向に延出された延出片５５ａ、５５ｂと、延出片５５ａ、５５ｂの延出された先端に設けられ、横格子部材２に挿入されたときに第１面２ｄ側又は第３面２ｆ側に突設された突起５５ｃ、５５ｄと、を有している。
【００２５】
第３面２ｆ側に設けられている第３面側延出片５５ａは、第３面２ｆに沿う端部延出挿入部５４ｂと第３面端部挿入部５３ｂとの間のほぼ中央に位置しており、第３面２ｆに沿う端部延出挿入部５４ｂ及び第３面端部挿入部５３ｂと各々間隔を空けて設けられている。第１面２ｄ側に設けられている第１面側延出片５５ｂは、第１面２ｄに沿う端部延出挿入部５４ｂと第１面端部挿入部５２ｂとの間のほぼ中央に位置しており、第１面２ｄに沿う端部延出挿入部５４ｂ及び第１面端部挿入部５２ｂと各々間隔を空けて設けられている。
【００２６】
第３面側延出片５５ａ及び第１面側延出片５５ｂは、当接面５１ａと平行な面にて切断したときの断面形状が長方形状をなしており、第３面側延出片５５ａは、第３面２ｆに沿う方向における幅が、第２面２ｅに沿う方向の厚みより広く形成されており、第１面側延出片５５ｂは、第１面２ｄに沿う方向における幅が、第２面２ｅに沿う方向の厚みより広く形成されている。このため、第３面側延出片５５ａ及び第１面側延出片５５ｂに、第２面２ｅに沿う方向に外力が作用すると、キャップ本体５１側を基端として先端側が第２面２ｅに沿う方向に移動するように撓みやすく形成されている。
【００２７】
第３面側延出片５５ａ及び第１面側延出片５５ｂの先端にそれぞれ設けられている突起５５ｃ（図３、図４参照）、５５ｄは、横格子部材２の両端に小口キャップ５が取り付けられて、横格子部材２の小口２ａに小口キャップ５の当接面５１ａが当接されたときに、横格子部材２の第１面２ｄに設けられている孔２ｃにそれぞれ挿入される位置に設けられている。各突起５５ｃ、５５ｄは、各孔２ｃの内径より僅かに小さな直径の円筒形状をなし、先端側の厚みが薄くなるようなテーパー５５ｅ、５５ｆが設けられている。
【００２８】
第３面２ｆ側及び第１面２ｄ側に設けられている補助係止部５６は、第３面２ｆ又は第１面２ｄに沿う方向において第３面側延出片５５ａ又は第１面側延出片５５ｂの両側にて、挿入方向において各係止部５５よりも長く延出された２本の並設腕部５６ａと、２本の並設腕部５６ａの先端を連結し、係止部５５より横格子部材２の奥側に位置して当該係止部５５と互いに隣り合う並設部５６ｂと、を有している。
【００２９】
２本の並設腕部５６ａは、第３面２ｆに沿う端部延出挿入部５４ｂと第３面側延出片５５ａとの間、及び、第３面側延出片５５ａと第３面端部挿入部５３ｂとの間、または、第１面２ｄに沿う端部延出挿入部５４ｂと第１面側延出片５５ｂとの間、及び、第１面側延出片５５ｂと第１端部挿入部５２ｂとの間、に互いに間隔を空けるとともに、第３面側延出片５５ａと２本の並設腕部５６ａとが第３面２ｆに沿う方向に並ぶように、また、第１面側延出片５５ｂと２本の並設腕部５６ａとが第１面２ｄに沿う方向に並ぶように設けられている。このとき、第３面２ｆ側及び第１面２ｄ側に各々設けられている２本の並設腕部５６ａの間隔は、横格子部材２が連結部材４を介して柱３に固定される際に用いられる固定具としての例えばビス６のねじ部６ａの直径より広い。
【００３０】
第３面２ｆ側及び第１面２ｄ側に設けられた補助係止部５６の、各々２本の並設腕部５６ａの先端同士を連結する並設部５６ｂは、当接面５１ａとほぼ平行に設けられており、係止部５５とは接触していない。
【００３１】
小口キャップ５を横格子部材２に挿入する際には、挿入した際に係止部５５及び補助係止部５６が第１面２ｄ及び第３面２ｆと対向するように、小口キャップ５の側面摺接挿入部５４及び角部摺接挿入部５２、５３側から横格子部材２の小口２ａから長手方向に沿って挿入する。このとき、小口キャップ５は、側面摺接挿入部５４及び角部摺接挿入部５２、５３のテーパー５２ｃ、５３ｃ、５４ｃ、が設けられている先端部に案内されつつ挿入される。そして、側面摺接挿入部５４及び角部摺接挿入部５２、５３の外周面に設けられているリブ５２ｄ、５３ｄ、５４ｄが横格子部材２の内側面に摺接し、側面摺接挿入部５４及び角部摺接挿入部５２、５３が、内側に押圧されつつ圧入されていく。
【００３２】
挿入される際に、補助係止部５６、係止部５５の第３面側延出片５５ｃ及び第１面側延出片５５ｄより外周側に突出している突起５５ｃ、５５ｄのテーパー５５ｅ、５５ｆが横格子部材２の小口２ａと接触すると、挿入されるにつれて各係止部５５の第３面側延出片５５ａ及び第１面側延出片５５ｂが、横格子部材２の内側に撓み、弾性により第３面３ｆの内側又は第１面２ｄの内側を押圧しつつ挿入する。このとき、横格子部材２の両端の小口２ａから挿入された各小口キャップ５は、孔２ｃが設けられている第１面２ｄ側の突起５５ｃ、５５ｄが孔２ｃに至ったときに、第３面側延出片５５ａまたは第１面側延出片５５ｂの撓み変形が復元されて突起５５ｃ又は突起５５ｄが孔２ｃに挿入され小口キャップ５が横格子部材２に係止される。一方、孔２ｃが設けられていない第３面２ｆ側の第３面側延出片５５ａ及び第１面側延出片５５ｂは撓み変形している状態が維持される。
【００３３】
小口キャップ５が取り付けられた横格子部材２は、連結部材４を介して柱３にビス６により固定される。このとき、連結部材４と横格子部材２とを固定するビス６の位置が横格子部材２の小口２ａから十分に離れている場合には、図３に示すように係止部５５とビス６とは干渉することなく横格子部材２が柱３に固定される。尚、図３、図４においては、補助係止部５６以外の部位の断面へのハッチングを省略している。
【００３４】
一方、連結部材４と横格子部材２とを固定するビス６の位置が横格子部材２の小口２ａに近く、係止部５５とビス６とが干渉する場合には、図４に示すように、横格子部材２の外側から内側に進入するビス６により係止部５５が内側に押圧されて撓みが生じ、突起５５ｃ、５５ｄが孔２ｃから押し出されてしまう。本実施形態の小口キャップ５は、横格子部材２の長手方向において係止部５５より奥側に、並設部５６ｂを有する補助係止部５６が、係止部５５の第３面側延出片５５ａ及び第１面側延出片５５ｂに並ぶように設けられている。このため、小口キャップ５が横格子部材２から抜け出す方向に移動したとしても並設部５６ｂがビス６に接触して小口キャップ５の移動が規制されるので、横格子部材２に小口キャップ５が取り付けられている状態が維持される。
【００３５】
すなわち、本実施形態の小口キャップ５によれば、第３面側延出片５５ａ及び第１面側延出片５５ｂの延出方向において、係止部５５より横格子部材２の奥側に位置して当該係止部５５と互いに隣り合いキャップ本体５１と繋がっている補助係止部５６を有しているので、小口キャップ５が横格子部材２から抜ける方向に移動すると、突起５５ｃ、５５ｄを押し出したビス６の横格子部材２の内側に突出した部位に補助係止部５６が接触して小口キャップ５の移動が規制される。このため、小口キャップ５が横格子部材２に係止されている位置にビス６が進入しても外れ難い小口キャップ５を提供することが可能である。
このとき、横格子部材２の内側に突出するビス６が横格子部材２内に進入しつつ補助係止部５６を横格子部材２の長手方向における中央側に付勢する構成とすると、小口キャップ５と小口２ａとをより密着させて取り付けることが可能である。
【００３６】
また、横格子部材２に係止されている位置にビス６が進入しても外れ難い小口キャップ５を備えた格子が柱３に連結される格子ユニット１を提供することも可能である。
上記実施形態においては、第２部材と交差する方向に沿って配置される交差部材を柱として説明したが、これに限るものではない。例えば、第２部材が鉛直方向に設けられる部材であり、交差部材が水平方向に沿って設けられる部材であっても構わない。
【００３７】
上記実施形態においては、補助係止部５６が、挿入方向において各係止部５５よりも長く延出された２本の並設腕部５６ａと、２本の並設腕部５６ａの先端を連結する並設部５６ｂと、を有している例について説明したが、これに限るものではない。例えば、図５（ａ）に示すように、係止部５５の一方側のみに設けられた並設腕部５６ａの先端から係止部５５より奥側に位置して当該係止部と互いに隣り合うように延出された並設部５６ｃを有していても良い。また、図５（ｂ）に示すように、並設腕部５６ａを有しておらず、例えば、第３面２ｆに沿って端部延出挿入部５４ｂと第３面端部挿入部５３ｂとの間、及び、第１面２ｄに沿って端部延出挿入部５４ｂと第１面端部挿入部５２ｂとの間を連結すするように並設部５６ｄが設けられていてもよい。このとき、端部延出挿入部５４ｂと第１面端部挿入部５２ｂが並設腕部５６ａとして機能する。また、図５（ｃ）に示すように、端部延出挿入部５４ｂまたは第３面端部挿入部５３ｂのいずれか、端部延出挿入部５４ｂまたは第１面端部挿入部５２ｂのいずれかから突出して並設部５６ｅが設けられていても構わない。このとき、端部延出挿入部５４ｂまたは第１面端部挿入部５２ｂのいずれかが並設腕部５６ａとして機能する。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３９】
１  格子ユニット、２  横格子部材、２ａ  小口、２ｃ  孔、３  柱、４  連結部材、
５  小口キャップ、６  ビス、５１  キャップ本体、５５  係止部、
５５ａ  第３面側延出片、５５ｂ  第１面側延出片、５５ｃ  突起、５５ｄ  突起、
５６  補助係止部、５６ａ  並設腕部、５６ｂ  並設部、５６ｃ  並設部、
５６ｄ  並設部、５６ｅ  並設部、
【図１】
2018100584.tif 000003
【図２】
2018100584.tif 000004
【図３】
2018100584.tif 000005
【図４】
2018100584.tif 000006
【図５】
2018100584.tif 000007